(57)【要約】【課題】液体の詰め替えの際の過剰注入のない漏斗を簡単な構成で実現すること。【解決手段】外周に磁石２６を擁した流出管１２内にガイド軸４０を遊嵌させ、ガイド軸４０の下端に、それを引き上げた際、流出管１２の下端に上向きに当接してこれを閉塞する浮子３０を装着する。ガイド軸４０の浮子３０の上方に、ガイド軸４０より大径で流出管１２内を遊嵌する金属のストッパ４３を固着し、流出管１２の途中に管径の異なる段差部を設けてストッパ４３の係止部１４とする。ストッパ４３とガイド軸４０に、漏斗１に注入される液体Ｌを流出管１２の下端外に導く流路を形成しておき、ストッパ４３を係止部１４に係止させた状態と、浮子３０が流出管１２の下端に当接するまでとは、その流路を介して液体Ｌを流出管１２外に導き、浮子３０が流出管１２の下端に当接した時、ストッパ４３が磁石２６の吸着作用で固定される位置関係にする。【選択図】図６
2008273561.tif 000002
【特許請求の範囲】
【請求項１】
容器の底面に流出管が突設され、その流出管の外周に磁石が装着された漏斗本体と、
その流出管内に、下端が流出管外に突出する形で遊嵌されたガイド軸と、
そのガイド軸の下端に、ガイド軸を引き上げた際、流出管の下端に上向きに当接してこれを閉塞する浮子と、
ガイド軸の、その浮子の上方に設けられ、前記流出管内に遊嵌するとともに、ガイド軸より大きな外径で、磁石に吸着される材料で形成されたストッパとを有し、
前記流出管の内面には、前記磁石の装着位置より下方に前記ストッパを上向きに係止する係止部が設けられており、ストッパと前記ガイド軸には、前記漏斗本体の容器に注入される液体を流出管の下端外に導く流路が形成されており、ストッパを、前記係止部に係止させた状態と、その状態から引き上げて前記浮子が流出管の下端に当接するまでとは、前記流路を介して液体が流出管外に導かれるようになっており、前記浮子が流出管の下端に当接した時、前記ストッパが前記磁石の吸着作用で固定される位置関係にある漏斗。
【請求項２】
請求項１に記載の漏斗において、
上記浮子の上記流出管の下端と当接する部位または、上記流出管の下端の周縁に沿う部位のいずれか一方にシール材が装着されていることを特徴とする漏斗。
【請求項３】
請求項１または２に記載の漏斗において、
上記漏斗本体を詰め替え容器に安定して装着すべく、詰め替え容器の口に係合可能となったアダプタを備えており、そのアダプタは、上記流出管を、その管軸周りに取り囲む囲み形状を成し、その囲み形状の内側が、前記流出管の管軸を同心軸にした円筒となっており、その円筒が、その内径に対応した外径を有する前記詰め替え容器の口に緩やかに嵌合するようになっていることを特徴とする漏斗。
【請求項４】
請求項３に記載の漏斗において、
上記円筒が、その軸に沿って下向きに段階的に拡径してゆく段付き円筒となっており、各円筒が、その内径に対応した外径を有する詰め替え容器の口に緩やかに嵌合するようになっていることを特徴とする漏斗。
【請求項５】
請求項３または４に記載の漏斗において、
上記囲み形状に、上記段付き円筒の周に直交する方向の割りが形成されていることを特徴とする漏斗。
【請求項６】
請求項３から５のいずれかに記載の漏斗において、上記アダプタが上記漏斗本体に着脱自在に取り付けられていることを特徴とする漏斗。
【発明の詳細な説明】
【技術分野】
【０００１】
本発明は、漏斗に関する。
【背景技術】
【０００２】
漏斗は、言うまでも無く、液体または粉体（以下、液体で代表させる）を口径の小さな詰め替え容器に詰め替える際に用いる器具であり、逆円錐ないしは「お椀」形状の容器の、それら逆円錐の頂点や「お椀」の底面の中心に小径の流出管が突設された形状を成す。
【０００３】
使用時には、その流出管を、詰め替え容器の口に挿入し、漏斗の容器の逆円錐の外周面、あるいは、お椀形状の場合は、お椀の底面を詰め替え容器の口の周縁に当接させる。
【０００４】
このような装着姿勢で、漏斗の容器に詰め替え用の液体を注ぐと、液体は流出管を通じて詰め替え容器内に注入される。
【０００５】
その際、詰め替え容器が透明なものであって、その内部を視認できるようなものであれば良いが、不透明である場合には内部を視認できないので、液体を過剰に注ぐことがあり、詰め替え容器から液体が溢れ出ることになる。
【０００６】
これを防ぐためには、常に、詰め替え容器への注入具合を注視していなければならないが、そのためには、途中で注入を中止して、その時点でどれ程の量の液体が詰め替えられたかを確認するため、漏斗を容器から取り外して容器の中身を確認しなければならず、これは非常に煩わしい。そのようなことを避けるためには、あらかじめ、詰め替え容器に収まる量を計量して注げばよいが、その場合も、その計量に手間がかかって、これまた煩わしい。
【０００７】
このような従来の漏斗で液体を詰め替える際の問題点に対処するため、例えば、下記の公知文献（特許文献１）には、以下のような構成の漏斗が開示されている。
【０００８】
この漏斗は、流出管の内部に、下端に「浮き」を備えたガイド軸を遊嵌させ、このガイド軸は、漏斗本体の容器の上部に設けられた支持具により、昇降可能に支持されている。
【０００９】
そのような漏斗の流出管を、空の詰め替え容器の口に挿入すると、最初、「浮き」は支持具によって詰め替え容器内に宙吊りの状態になっているが、漏斗本体側から詰め替え容器に液体を注いでゆき、液面が上昇してくると、「浮き」が詰め替え容器内で、液体から受ける浮力によって浮遊するようになる。
【００１０】
その状態から、さらに液体を注入してゆくと、液面の上昇とともに「浮き」も上昇してゆき、やがて、流出管の下端に当接して、液体の流路を塞ぐようになる。
【００１１】
こうして、この特許文献１に開示された漏斗によれば、「浮き」が流出管の下端に当接した時点で、詰め替え容器内への液の注入が阻止されるので、詰め替え容器内から液が溢れ出るおそれがない。
【特許文献１】特開２００４−０６７２２７号公報、図１。
【発明の開示】
【発明が解決しようとする課題】
【００１２】
しかしながら、上記特許文献に開示されている漏斗の構成は、漏斗本体の容器の上部に大掛かりな「浮きの支持具（上記特許文献図１中の符号６が付されたもの）」を装着せねばならず、特に、その支持具の構成要素の一つである支持棒（特許文献図１中の符号８が付されたもの）が漏斗本体の容器の上面に交差する形で装着され、また、その支持棒の中間の位置でガイド棒（特許文献図１中の符号４が付されたもの）が上方に突出しているので、詰め替え用の液体を漏斗本体に注ぐ際、この支持棒やガイド棒が邪魔になって煩わしい、という問題もある。
【００１３】
そこで、この発明の課題は、詰め替え容器に対する過剰な液の注入を、簡単な構成で確実に阻止することができるようにし、その際の漏斗本体の容器への液の注入もスムーズに行えるような漏斗を提供することにある。ただし、これまでは、漏斗の一般的な話として、詰め替え物は液体、粉体の両方に対応可能であるとし、説明の煩雑さを防ぐ上で、液体で代表させて説明してきたが、本発明では粉体は対象とせず、「液体」のみを対象とする。
【課題を解決するための手段】
【００１４】
上記課題を解決するために、請求項１に記載の発明は、容器の底面に流出管が突設され、その流出管の外周に磁石が装着された漏斗本体と、その流出管内に、下端が流出管外に突出する形で遊嵌されたガイド軸と、そのガイド軸の下端に、ガイド軸を引き上げた際、流出管の下端に上向きに当接してこれを閉塞する浮子と、ガイド軸の、その浮子の上方に設けられ、前記流出管内に遊嵌するとともに、ガイド軸より大きな外径で、磁石に吸着される材料で形成されたストッパとを有し、前記流出管の内面には、前記磁石の装着位置より下方に前記ストッパを上向きに係止する係止部が設けられており、ストッパと前記ガイド軸には、前記漏斗本体の容器に注入される液体を流出管の下端外に導く流路が形成されており、ストッパを、前記係止部に係止させた状態と、その状態から引き上げて前記浮子が流出管の下端に当接するまでとは、前記流路を介して液体が流出管外に導かれるようになっており、前記浮子が流出管の下端に当接した時、前記ストッパが前記磁石の吸着作用で固定される位置関係にある構成の漏斗を採用したのである。
【００１５】
このようにしたので、本発明の漏斗では、流出管の下端を閉塞する浮子の昇降をガイドする構成が、上記のように、殆ど流出管内に収めることのできるガイド軸と、浮子が流出管を閉塞した際、そのガイド軸を、そのストッパを介して固定する磁石とで実現できるので、上記公知文献に開示された漏斗のように、「浮き」をガイドするのに、大掛かりで、かつ、漏斗本体の容器の上面に被さるような支持具を必要としない。
【００１６】
請求項２に記載の発明は、請求項１に記載の漏斗において、上記浮子の上記流出管の下端と当接する部位または、上記流出管の下端の周縁に沿う部位のいずれか一方にシール材が装着されている構成を採用したのである。
【００１７】
そのようにすれば、流出管の閉塞がより確実に行われ、詰め替え容器側への過剰な注入が確実に阻止される。また、詰め替え作業終了後、漏斗本体の容器の中に残っている余分な液体を元の液層に戻す際の、流出管からの漏れを確実に防ぐことができる。
【００１８】
請求項３に記載の発明は、請求項１または２に記載の漏斗において、上記漏斗本体を詰め替え容器に安定して装着すべく、詰め替え容器の口に係合可能となったアダプタを備えており、そのアダプタは、上記流出管を、その管軸周りに取り囲む囲み形状を成し、その囲み形状の内側が、前記流出管の管軸を同心軸にした円筒となっており、その円筒が、その内径に対応した外径を有する前記詰め替え容器の口に緩やかに嵌合するようになっている構成を採用したのである。
【００１９】
請求項４に記載の発明は、請求項３に記載の漏斗において、上記円筒が、その軸に沿って下向きに段階的に拡径してゆく段付き円筒となっており、各円筒が、その内径に対応した外径を有する詰め替え容器の口にゆるやかに嵌合するようになっている構成を採用したのである。
【００２０】
そのようにすれば、請求項３に記載の漏斗の作用が、口径の異なる複数の詰め替え容器に対応可能となる。
【００２１】
請求項５に記載の発明は、請求項３または４に記載の漏斗において、上記囲み形状に、上記段付き円筒の周に直交する方向の割りが形成されている構成を採用したのである。
【００２２】
この「割り」を形成することによって、アダプタの材料は、可撓性を有するものでさえあれば、その囲み形状の内面に形成された円筒（請求項３の単一の円筒および請求項４の段付き円筒内の各円筒）は、その径を拡縮できるので、樹脂のように弾性を有するものだけでなく、例えば、金属の薄板を用いて作製することもでき、アダプタ製作上の幅が広がる。
【００２３】
また、弾性を有する樹脂で作製した場合でも、上記円筒は、その樹脂の弾性による自由度に加えて、「割りによる径の拡縮の自由度」が加わるので、詰め替え容器に対するアダプタの着脱がさらに容易となる。
【００２４】
請求項６に記載の発明は、請求項３から５のいずれかに記載の漏斗において、上記アダプタが上記漏斗本体に着脱自在に取り付けられている構成を採用したのである。
【００２５】
そのようにすれば、アダプタ、漏斗本体のいずれかに欠損が生じた場合、アダプタを漏斗本体から取り外して、欠損が生じた方を取り替えれば、全体が無駄になることがない。
【発明の効果】
【００２６】
本発明は、上記のような構成を採用したので、漏斗による液体の詰め替え作業において、従来より簡単な構成の漏斗で、液体の過剰注入を阻止することができる。
【発明を実施するための最良の形態】
【００２７】
以下、本発明の実施の形態を、図面を参照して説明する。図１は、この発明の実施形態の漏斗１の一部断面を含む正面図である。図２は、本実施形態の漏斗１の構成要素の一つであるアダプタ２０の図であり、（ａ）は、その単体の全体斜視図、（ｂ）は平面図、（ｃ）は（ｂ）の線ＩＩ−ＩＩによる矢視図を示している。図３は、これもまた、図１の漏斗１の構成要素の一つである浮子３０とそのガイド軸４０であり、（ａ）は浮子３０とガイド軸４０が組み立てられた状態の斜視図、（ｂ）は、（ａ）のその浮子３０とガイド軸４０を分離した分解斜視図である。図４は（ａ）〜（ｃ）に順を追って、図１の完成品を組み立てていく様子を示したものであり、図５、図６は本実施形態の作用図である。
【００２８】
先ず、図１に示すように、本実施形態の漏斗１は、詰め替え用の液が注入されるお椀型の容器１１と、その容器１１の底面の中央に流出管１２が突設されたものであり、この部分が漏斗本体１０である。
【００２９】
そして、この漏斗本体１０の流出管１２を取り巻く形で、漏斗本体１０を詰め替え容器に安定して装着するためのアダプタ２０が着脱自在に取り付けられている。
【００３０】
このアダプタ２０は、図２に示すように、基本形状たる「末広がりの段付き円筒の囲み形状」を、その上端の円筒２１以降の段付き円筒の一部を割愛して、平面視（（ｂ）参照）、十字形状を成すようにしたものである。
【００３１】
そして、その外形の正断面は、図２（ｃ）に示すように、先ず、上端に所定の大きさの円筒２１があり、その直下にその上端の円筒２１より小径の円筒２２ａがあり、その小径の円筒２２ａ以降、下のものほど径が大きくなってゆく三つの円筒２２ｂ、２２ｃ、２２ｄを擁し、全体として上端の円筒２１以下、四つの円筒２２ａ、２２ｂ、２２ｃ、２２ｄから成る四段の段付き円筒２２を成すものである。そして、このような四段の段付き円筒２２の外形に対応して、その内部も四段の段付き円筒２３となっている。
【００３２】
このアダプタ２０内面の四段の段付き円筒２３の各円筒２３ａ、２３ｂ、２３ｃ、２３ｄは、それぞれ、あらかじめ設定された詰め替え容器の口に緩やかに嵌合するような寸法となっている。すなわち、この径の異なる四段の円筒２３ａ、２３ｂ、２３ｃ、２３ｄによって、口径の異なる四種類の詰め替え容器の口に装着可能となっている。
【００３３】
そして、先述したように、本実施形態では、アダプタ２０の基本形状となった段付き円筒の囲み形状を平面視十字となるように割愛して四つの張り出し部２４を構成したので、詰め替え容器の口に嵌合する各円筒の径の拡縮が可能となり、各円筒の、詰め替え容器の口に対する着脱を容易にしているのである。各張り出し部２４には、その幅方向中央に、段付き面を補強するためのリブ２５が形成されている。
【００３４】
なお、請求項５に記載の発明における「割り」の基本的概念は、本実施形態において、元の「末広がりの段付き円筒の囲み形状」の一部を割愛して、平面視十字形状にした際の、その割愛した部分をいい、今述べたように、アダプタ２０内面の各円筒２３ａ、２３ｂ、２３ｃ、２３ｄが詰め替え容器の口に容易に着脱できるようにするためのものである。
【００３５】
従って、図示はしなかったが、本発明のアダプタ２０の本質は、平面視図２（ｂ）に示したような十字形状を成すものでなく、単なる、「末広がりの段付き円筒の囲み形状」でもよいのである。その内面の各段付き円筒が、対応させる詰め替え容器の口にゆるやかに嵌合する寸法に形成していればよいのである。
【００３６】
このようなアダプタ２０の存在により、本実施形態の漏斗１は詰め替え容器の口に対して殆ど真直に装着され、かつ、傾くおそれがない。なお、この四段の段付き円筒２２（２３）の上の上端の円筒２１は、詰め替え容器の口に装着されるものではなく、この部分については後述する。
【００３７】
以上のような形状のアダプタ２０を、本実施形態では、ポリプロピレンやテフロン（登録商標）などの樹脂で作製しているが、これらに限られるものではない。今述べたように、元の段付き円筒の囲み形状の一部を割愛して平面視十字形状にしているので、可撓性のある材料であれば、詰め替え容器の口に嵌合する円筒の径を拡縮することができ、例えば、薄手のステンレス板など、金属で作製してもよい。
【００３８】
以上のような形状のアダプタ２０の、前記流出管１２に対する着脱自在な取り付け形態として、先ず、図１に示すように、流出管１２の側において、その根元の位置から少し下がった位置の外面に、長さ方向の所定の範囲に亘って雄ネジ１３が形成されている。
【００３９】
他方、アダプタ２０側には、その流出管１２の雄ネジ１３に螺合する雌ネジ２７が、アダプタ２０の内面に形成されている。このアダプタ２０側の雌ネジ２７の形成箇所は、詰め替え容器の口には被さらない前記上端の円筒２１内であり、詰め替え容器の口に被さる最上段の円筒の上面から上端の円筒２１側に向かう所定の範囲に亘って形成されている。このアダプタ２０側の雌ネジ２７により着脱自在に装着されるようになっている。
【００４０】
そして、この上端の円筒２１の、雌ネジ２７が形成された範囲の直上の内面に、リング状の磁石２６が装着されるようになっている。この磁石２６の外径は前記上端の円筒２１の内径より小さく、内径は流出管１２の外径より少し大きい程度の寸法を有している。従って、この磁石２６を装着した状態でアダプタ２０を流出管１２に螺合させると、この磁石２６はアダプタ２０上端の円筒２１内面と流出管１２の外面に挟まれて、殆ど「がたつく」ことなく、漏斗本体１０に装着されるようになっている。次に、本発明の直接的な目的である、液体の過剰注入を防ぐための「浮子３０」周りの構成について述べる。
【００４１】
図１に示すように、上記の流出管１２内に、下端が流出管１２外に突出する形で、浮子３０のガイド軸４０が遊嵌されている。このガイド軸４０は、図３に示すように、下端に浮子３０が装着されるものである。ガイド軸４０自身はポリプロピレンやテフロン（登録商標）などの樹脂で形成された同一寸法の三枚の帯板４１で構成され、各帯板４１が、それぞれの一方の長辺を突き合わせて一体化され、その突き合わせた辺を中心軸として、隣接するもの同士、１２０°の開き角を成す一本の長尺部材を構成している。この長尺部材において、三枚の帯板４１の突き合わせ側長辺の反対側の長辺は、帯板４１の短辺を半径とする仮想円筒の側線を成すような形になっている。
【００４２】
そして、このようなガイド軸４０の上端に、三枚の帯板４１を取り囲む形で、ガイド軸４０と同じポリプロピレンやテフロン（登録商標）などの樹脂で形成されたリング状の天板４２が一体化されている。
【００４３】
また、このガイド軸４０の長手方向中間寄りには、その三枚の帯板４１を取り巻く形で、ステンレスで形成されたリング状のストッパ４３が接着材で固着されている。このストッパ４３については後述する。
【００４４】
さらに、このガイド軸４０の下端は、三枚の帯板４１が、前記中心軸を同心軸とする小円柱で切り欠かれた形状を成し、この切欠き部４４に雌ネジ４５が形成されている。この雌ネジ４５部に、以下に説明する「浮子３０」の雄ネジ３１部が螺合するようになっている。次に、その浮子３０について説明する。
【００４５】
浮子３０は、図３に示すように、ポリプロピレン、ポリエチレンテレフタラート、ポリエチレンなどの樹脂で形成した円柱状のもので、その円柱の外径は流出管１２の外径と殆ど同じかまたは僅かに大きい程度のものとなっている。浮子３０を、はっきりと流出管１２の外径より大きくする場合でも、浮子３０は、流出管１２ともども、詰め替え容器の口に挿入されるので、その口の内径より、余裕をもって小さなものでさえあれば、流出管１２の外径より優に大きな寸法のものであってもよい。そして、この浮子３０の上面の周縁に沿って、リング状のシール材３２が接着材で固着されている。
【００４６】
また、その円柱の上面に、円柱の軸を同心軸として雄ネジ３１が突設されている。浮子３０は、この雄ネジ３１の部分を前記ガイド軸４０下端の雌ネジ４５の部分に螺合させて、ガイド軸４０に着脱自在に装着できるようになっている。以上が、浮子３０と、そのガイド軸４０の構成である。次に、再び、流出管１２について、この浮子３０のガイド軸４０に関連する構成について述べる。
【００４７】
図１に示すように、その流出管１２の内面には、前記磁石２６の装着位置より下方に、前記ガイド軸４０のストッパ４３を上向きに係止する係止部１４が設けられている。この係止部１４は、流出管１２が、この実施形態では、その長手方向の略中間寄りの位置で下半分が上半分より小径になっていて、管内でも、それに対応して、その大径部と小径部による段差が形成されている。すなわち、この大径部と小径部が成す段差部を係止部１４としたものである。
【００４８】
そして、この流出管１２の大径部の内径は、浮子３０のガイド軸４０に固着された前記ストッパ４３のリング形状の外径より僅かに大きい寸法になっており、また、小径部の内径はガイド軸４０の三枚の帯板４１が形作る仮想円筒の外径より僅かに大きな寸法になっている。従って、次の作用の説明の際にも述べるように、このガイド軸４０が流出管１２内を昇降する際、殆ど傾くことなく、略垂直に昇降する。
【００４９】
また、本実施形態では、前記浮子３０が流出管１２の下端に当接した姿勢の時、前記ストッパ４３が前記磁石２６の吸着作用で固定されるような位置関係にしている（図６参照）。以上が、本実施形態の漏斗１の構成部品である。ここで、それら構成部品が組み立てられて図１の完成品に至る様子を、図４を参照して説明する。
【００５０】
先ず、図４（ａ）に示すように、漏斗本体１０にガイド軸４０とアダプタ２０を装着する。ガイド軸４０は、漏斗本体１０の容器１１の上方から流出管内１２に挿入し、そのストッパ４３を流出管１２の係止部１４に係止させて宙吊りの形にしておく。
【００５１】
他方、流出管１２の下方側からは、アダプタ２０を、その上端の円筒２１に磁石２６を挿入しつつ、磁石２６の直下の雌ネジ２７の部分で、流出管１２外面の雄ネジ１３の部分に螺合させる。こうして、図４（ｂ）に示すように、漏斗本体１１にアダプタ２０が装着され、ガイド軸４０が投入された状態となる。
【００５２】
そして、最後に流出管１２の下端外に突出しているガイド軸４０の下端に、シール材３２が固着された浮子３０を装着させる。浮子３０の装着は、前記したように、その円柱上面に突出している雄ネジ３１をガイド軸４０下端の切欠き部４４に形成された雌ネジ４５に螺合させて行う。こうして、本実施形態の漏斗１の組み立てが完了する。次に、本実施形態の漏斗１の作用について、図５、図６を参照して説明する。
【００５３】
先ず、漏斗１を詰め替え容器Ｂに装着するのであるが、その際、アダプタ２０は漏斗本体１０に装着しておく。また、ガイド軸４０は、そのストッパ４３を流出管１２の外周に装着された磁石２６に吸着させておく。この時、前記したように、浮子３０が流出管１２の下端に当接した状態にある。
【００５４】
ガイド軸４０の流出管１２に対する初期の姿勢をこのようにしておくのは、詰め替え容器Ｂの口に流出管１２を挿入するのに、ガイド軸４０がフリーの状態にあって、浮子３０が流出管１２の下端から離れた位置にあっては、挿入がしにくいからである。
【００５５】
このような状態で、次に、漏斗本体１０の流出管１２を、対象とする詰め替え容器Ｂの口に挿入しつつ、アダプタ２０内面の段付き円筒２３の内、この詰め替え容器Ｂの口に対応するものを、詰め替え容器Ｂの口に嵌合させる。
【００５６】
そして、ストッパ４３の部分で磁石２６に吸着させていたガイド軸４０の天板４２を、磁石２６の吸引力に抗して下向きに押圧し、ストッパ４３を流出管１２内の係止部１４に係止させて、ガイド軸４０を宙吊りの状態にする。この時、浮子３０も、流出管１２の下端より下方の位置で宙吊りの状態にある。これが、図５に示したところの、ガイド軸４０および浮子３０の下死点の状態である。この状態で、漏斗本体１０の容器１１に詰め替え液を注入してゆく。
【００５７】
この時、本発明の漏斗１の浮子３０のガイド軸４０は、背景技術の項で対比させた公知文献の漏斗（公知文献における「漏斗本体１」）のガイド棒（公知文献において符号４で示される）のように、その支持具（公知文献において符号６で示される）が漏斗本体の容器の上を交差していたようなものではないので、本実施形態では、漏斗本体１０の容器１１への液体Ｌの注入がスムーズに行われる。
【００５８】
漏斗本体１０の容器１１に注入された液体Ｌは、流出管１２内に遊嵌している浮子３０のガイド軸４０、およびストッパ４３の隙間を通って流出管１２内を流下し、流出管１２の下端から詰め替え容器Ｂ内に注がれる。
【００５９】
しばらく経って、詰め替え容器Ｂ内で液面Ｆが上昇してきて浮子３０の位置に到達すると、この浮子３０に対して液体Ｌから浮力が作用するので、浮子３０が液面Ｆに浮遊するようになる。
【００６０】
さらに液面Ｆが上昇すると、それと共に浮子３０も上昇し、やがて、浮子３０の上面周縁のシール材３２が流出管１２の下端に当接するようになる。これが図６に示した状態であり、ガイド軸４０および浮子３０の上死点の状態である。
【００６１】
そうなると、流出管１２の下端はこの浮子３０によって閉塞され、その状態でさらに液体Ｌを注入しても、浮子３０は浮力によって上向きの力を受けて引き続き流出管１２を閉塞し続けるので、それ以上、液体Ｌが詰め替え容器Ｂ側に流下することはない。
【００６２】
しかも、この浮子３０が流出管１２の下端に当接している時は、先述したように、浮子３０の上方に位置するストッパ４３が流出管１２の外周の磁石２６によって吸着されているので、浮子３０はさらに強固に固定されるようになっている。こうして、浮子３０は流出管１２の下端を強固に閉塞し、液体Ｌの過剰注入が阻止される。
【００６３】
液体Ｌの詰め替え作業を行っている作業者は、漏斗本体１０の容器１１内の液面Ｆが上昇してくることによって、流出管１２の下端が閉塞されていることを確認できる。そして、漏斗１への液の注入を停止する。
【００６４】
詰め替え作業が終了すると、漏斗１を詰め替え容器Ｂから取り外すが、そうすると、浮子３０に掛かっていた浮力はなくなるので、本来、浮子３０は流出管１２下端から離脱する形になる。しかし、先述したように、本実施形態では、その特徴的構成として、浮子３０が流出管１２の下端を閉塞していた状態で、ストッパ４３が流出管１２外面の磁石２６で吸着されるようになっているので、引き続き、浮子３０は流出管１２の下端を閉塞する姿勢にある。従って、漏斗本体１０の容器１１に残っている液体Ｌは流出管１２の下端側からは流れ出ることはない。後は、漏斗本体１０の容器１１内の余分な液体Ｌを元の液層に移し替えるだけである。
【００６５】
そして、漏斗１の容器１１内の余分な液体Ｌの移し替えが終了すると、人手により、磁石２６の吸着力に抗してガイド軸４０を押し下げれば、浮子３０による流出管１２の下端の閉塞状態が解除され、再び、流出管１２が外部と挿通可能となり、次回の詰め替え作業に対応できるようになる。
【００６６】
詰め替え作業時の漏斗１の最初の形態としては、この作用の説明の冒頭でも述べたように、流出管１２の下端に浮子３０を固定させておいた方が、流出管１２を詰め替え容器Ｂの口に挿入しやすいので、再びガイド軸４０を引き上げて、ストッパ４３を流出管１２外面の磁石２６に吸着させておく。
【００６７】
また勿論、浮子３０が流出管１２下端の下方に突出した状態で、流出管１２を詰め替え容器Ｂの口に挿入させることを厭わなければ、ガイド軸４０を、そのストッパ４３を流出管１２の係止部１４に係止させただけの宙吊りの状態で行っても構わない。
【産業上の利用可能性】
【００６８】
この発明は、液体を詰め替えるための漏斗に広く適用可能である。
【図面の簡単な説明】
【００６９】
【図１】本発明の実施形態の一部断面を含む正面図である。
【図２】（ａ）にアダプタの全体斜視図、（ｂ）に平面図、（ｃ）に（ｂ）の線ＩＩ−ＩＩによる矢視図を示したものである。
【図３】（ａ）に浮子とガイド軸が組み立てられた状態の斜視図を示し、（ｂ）に、（ａ）の分解斜視図を示したものである。
【図４】（ａ）〜（ｃ）に順を追って、本発明の実施形態の完成品が組み立てられる様子を示したものである。
【図５】本発明の実施形態の作用を示した図であり、浮子が下死点の位置にある状態を示したものである。
【図６】本発明の実施形態の作用を示した図であり、浮子が上死点の位置にある状態を示したものである。
【符号の説明】
【００７０】
１    漏斗
１０    漏斗本体
１１    容器
１２    流出管
１３    雄ネジ
１４    係止部
２０    アダプタ
２１    上端の円筒
２２    段付き円筒（外面側）
２３    段付き円筒（内面側）
２４    張り出し部
２５    リブ
２６    磁石
３０    浮子
３２    シール材
４０    ガイド軸
４３    ストッパ
【図１】
2008273561.tif 000003
【図２】
2008273561.tif 000004
【図３】
2008273561.tif 000005
【図４】
2008273561.tif 000006
【図５】
2008273561.tif 000007
【図６】
2008273561.tif 000008